(57)【要約】【課題】デジタルインターフェースを用いて再生装置からデータ受信装置へオーディオデータの伝送を行うシステムにおいて、再生装置がオーディオデータおよびビデオデータが記録された記録媒体を再生するとき、データ受信装置から出力されるオーディオデータの音質の劣化を防ぐことができるデータ受信装置を提供する。【解決手段】入力されたオーディオデータから検出した送信側クロックおよび受信側クロックが同期するように送信側クロックを調整し受信側クロックと送信側クロックの同期をとる受信装置クロック制御モードをするか否かを確認し、再生装置から受信装置クロック制御モードをすることができない応答があると、入力されたオーディオデータを記憶手段に記憶される制御をし、生成される受信側クロックに応じて記憶手段からオーディオデータを読み出す制御をする制御手段を備える。【選択図】  図１
2007280584.tif 000002
【特許請求の範囲】
【請求項１】
再生装置から送信されるオーディオデータをデジタルインターフェースを介して受信するデータ受信装置において、
デジタルインターフェースを介してオーディオデータを入力する入力手段と、
前記入力手段により入力されたオーディオデータに信号処理を施す信号処理手段と、
前記信号処理手段により信号処理が施されたオーディオデータを出力する出力手段と、
データ受信装置の動作を制御する受信側クロックを生成するクロック生成手段と、
オーディオデータを記憶する記憶手段と、
前記入力手段から入力されたオーディオデータから検出した送信側クロックおよび前記クロック生成手段により生成される受信側クロックが同期するように送信側クロックを調整し受信側クロックと送信側クロックを同期させる受信装置クロック制御モードをするか否かを再生装置に確認し、再生装置から受信装置クロック制御モードをすることができない応答があると、前記入力手段から入力されたオーディオデータを前記記憶手段に記憶させる制御をし、前記クロック生成手段により生成される受信側クロックに応じて前記記憶手段からオーディオデータを読み出す制御をする制御手段とを備えることを特徴とするデータ受信装置。
【請求項２】
請求項１に記載されたデータ受信装置において、
前記記憶手段に記憶されたオーディオデータから無音を検出する検出手段を更に備え、
前記制御手段は、前記検出手段による無音の検出に応じて、前記記憶手段にオーディオデータの記憶を停止させ記憶したオーディオデータを消去させる制御をすることを特徴とするデータ受信装置。
【発明の詳細な説明】
【技術分野】
【０００１】
本発明は、デジタルインターフェースを介してデータを受信するデータ受信装置に関する。
【背景技術】
【０００２】
ＤＶＤ（Digital Versatile Disc）等の記録媒体に記録されたデジタルデータ(ビデオデータ、オーディオデータ等)を再生する再生装置と、再生装置から再生されたデジタルデータを受信し当該デジタルデータのうちオーディオデータを増幅してスピーカへ出力する増幅装置とを備えるシステムがある。近年、このシステムにおいて、再生装置から増幅装置へオーディオデータの伝送に、ＩＥＥＥ（Institute of Electrical and Electronic Engineers）１３９４インターフェースなどのデジタルインターフェースが用いられ、再生装置により再生されたオーディオデータを高品質のデジタルデータで増幅装置へ伝送することができる。
【０００３】
デジタルインターフェースを用いて再生装置から増幅装置へオーディオデータの伝送を行うシステムにおいては、増幅装置のクロック生成部が生成したマスタークロックと再生装置のクロック生成部が生成したマスタークロックが同期しない場合がある。この場合、再生装置から受信するオーディオデータにジッターが発生するため、増幅装置は、受信したオーディオデータを正しく復調することができず、スピーカから出力したオーディオ信号にノイズが発生したり、オーディオ信号が途切れたりすることがある。
【０００４】
再生装置と増幅装置のマスタークロックの同期をとる方法として、増幅装置が再生装置から送信されるオーディオデータに同期したマスタークロックを生成し、当該マスタークロックを用いて再生装置から送信されるオーディオデータを復調する方法が、特許文献１に開示されている。以後、本方法により同期をとる動作モードを、本明細書では、送信装置クロック制御モードと呼ぶ。
【０００５】
また、別な方法として、増幅装置は、クロック生成部により生成されたマスタークロックと再生装置から送信されるデジタルデータとが同期しているか否かを検出し、生成したマスタークロックとオーディオデータとの同期のずれを補正するための補正情報を生成し再生装置に送信する方法が特許文献２に開示されている。この方法において、再生装置は、増幅装置から受信した補正情報に基づいてマスタークロックの周波数を調整し、調整後のマスタークロックを用いてオーディオデータを符号化し増幅装置に送信する。以後、本方法により同期をとる動作モードを、本明細書では、受信装置クロック制御モードと呼ぶ。
【０００６】
【特許文献１】特開平６−２９６１７３号公報
【特許文献２】特開２００３−３２５７２号公報
【発明の開示】
【発明が解決しようとする課題】
【０００７】
特許文献１に開示された増幅装置が再生装置のマスタークロックに同期したマスタークロックを生成して再生装置と増幅装置のマスタークロックの同期をとる方法（送信装置クロック制御モード）では、増幅装置におけるマスタークロックの生成にＶＣＯ（Voltage Controlled Oscillator）回路から発振されるクロックを使用したＰＬＬ（Phase Locked Loop）回路が用いられる。このＶＣＯ回路は、クロック同期の許容範囲がクロックの中心周波数に対し±１０００ｐｐｍ（Parts Per Million）であるため、生成されるマスタークロックにジッターが発生する。このため、増幅装置において、VCO回路により生成されたマスタークロックを用いて、再生装置から送信されたオーディオデータを復調するとオーディオデータにジッターが発生し、増幅装置から出力されるオーディオデータの音質が劣化するという問題がある。
【０００８】
特許文献２に開示された増幅装置が生成したマスタークロックに同期するように、再生装置のマスタークロックの周波数を調整して再生装置と増幅装置のマスタークロックの同期をとる方法（受信装置クロック制御モード）では、増幅装置において再生装置のマスタークロックが増幅装置のマスタークロックに同期するように調整する。再生装置から送信されるオーディオデータは増幅装置のマスタークロックに同期しているため、増幅装置において、再生装置から受信するオーディオデータにジッターが発生しない。このため、増幅装置は、再生装置から受信したオーディオデータを高音質で再生することができる。しかしながら、再生装置のオーディオ送信用のマスタークロックは、増幅装置のマスタークロックに同期したものとなるため、再生装置においてビデオ用マスタークロックとオーディオ用マスタークロックとの同期がとれなくなり、再生されるビデオデータの動画が一瞬停止する、または、１コマ分の画像を飛ばして再生する等の問題が発生する。
【０００９】
以上のことから、従来のデジタルインターフェースを用いて再生装置と増幅装置の間でオーディオデータの伝送を行うシステムでは、再生装置がＤＶＤ‐ＡＵＤＩＯやＣＤ‐ＤＡ（Compact Disc-Digital Audio）等のオーディオデータのみが記録された記録媒体を再生する場合、上述した受信装置クロック制御モードにより再生装置と増幅装置のマスタークロックを同期させている。したがって、増幅装置において、再生装置から受信したオーディオデータを高音質で再生することができる。
【００１０】
一方、再生装置がＤＶＤ‐ＶＩＤＥＯ等のオーディオデータおよびビデオデータが記録された記録媒体を再生する場合、受信装置クロック制御モードを用いると、再生されるビデオデータの動画が一瞬停止する、または、１コマ分の画像を飛ばす等の問題が発生するので、上述した送信装置クロック制御モードにより再生装置と増幅装置のマスタークロックを同期させている。
【００１１】
すなわち、再生装置がオーディオデータおよびビデオデータが記録された記録媒体を再生するとき、送信装置クロック制御モードを用いた場合、再生されたビデオデータの動画が一瞬停止する、または、１コマ分の画像を飛ばして再生する等の問題の発生を防ぐことができる。しかしながら、送信装置クロック制御モードでは、増幅装置がVCO回路により生成されたマスタークロックを用いて再生装置から送信されたオーディオデータを復調するので、オーディオデータにジッターが発生し音質が劣化してしまう。
【００１２】
本発明は、上記の課題を解決するためになされたものであり、デジタルインターフェースを用いて再生装置からデータ受信装置へオーディオデータの伝送を行うシステムにおいて、再生装置がオーディオデータおよびビデオデータが記録された記録媒体を再生するとき、データ受信装置から出力されるオーディオ信号の音質の劣化を防ぐとともに、ビデオデータの動画が一瞬停止したり、１コマ分の画像を飛ばして再生する等の問題も発生することがないデータ受信装置を提供することを特徴とする。
【課題を解決するための手段】
【００１３】
上記の課題を解決するために、本願の請求項１に記載の発明は、再生装置から送信されるオーディオデータをデジタルインターフェースを介して受信するデータ受信装置において、デジタルインターフェースを介してオーディオデータを入力する入力手段と、前記入力手段により入力されたオーディオデータに信号処理を施す信号処理手段と、前記信号処理手段により信号処理が施されたオーディオデータを出力する出力手段と、データ受信装置の動作を制御する受信側クロックを生成するクロック生成手段と、オーディオデータを記憶する記憶手段と、前記入力手段から入力されたオーディオデータから検出した送信側クロックおよび前記クロック生成手段により生成される受信側クロックが同期するように送信側クロックを調整し受信側クロックと送信側クロックを同期させる受信装置クロック制御モードをするか否かを再生装置に確認し、再生装置から受信装置クロック制御モードをすることができない応答があると、前記入力手段から入力されたオーディオデータを前記記憶手段に記憶される制御をし、前記クロック生成手段により生成される受信側クロックに応じて前記記憶手段からオーディオデータを読み出す制御をする制御手段とを備えることを特徴とする。
【００１４】
また、本願の請求項２に記載の発明は、請求項１に記載されたデータ受信装置において、前記記憶手段に記憶されたオーディオデータから無音を検出する検出手段を更に備え、前記制御手段は、前記検出手段が無音のオーディオデータの検出に応じて、前記記憶手段にオーディオデータの記憶を停止させ記憶したオーディオデータを消去させる制御をすることを特徴とする。
【発明の効果】
【００１５】
本発明によれば、デジタルインターフェースを用いて再生装置からデータ受信装置へオーディオデータの伝送を行うシステムにおいて、再生装置がオーディオデータおよびビデオデータが記録された記録媒体を再生するとき、データ受信装置から出力されるオーディオ信号の音質の劣化を防ぐとともに、ビデオデータの動画が一瞬停止したり、１コマ分の画像を飛ばして再生する等の問題も発生することがないデータ受信装置を提供することができる。
【発明を実施するための最良の形態】
【００１６】
以下、本発明の実施の形態を図面を参照して説明する。
図１は、本発明の第１の実施例であるデータ受信装置の構成を示すブロック図である。図１において、１は入力部、２はアナログオーディオ入力部、３はデジタルオーディオ入力部、４はＩＥＥＥ１３９４インターフェース（ＩＥＥＥ１３９４Ｉ／Ｆ）、５はＩＥＥＥ１３９４入力部、６はＲＡＭ（Random Access Memory）、７はＰＬＬ回路、８はＡＤＣ（Analog to Digital Converter）、９はＤＩＲ（Digital Interface Receiver）、１０はＤＳＰ（Digital Signal Processor）、１１はＤＡＣ（Digital to Analog Converter）、１２は増幅部、１３は出力部、１４はクロック生成部、１５は制御部を示す。本実施例のデータ受信装置は、例えば、ＡＶ（Audio Visual）アンプ等の増幅装置である。
【００１７】
図１に示す入力部１は、アナログオーディオ入力部２、デジタルオーディオ入力部３及びＩＥＥＥ１３９４Ｉ／Ｆ４を備える。アナログオーディオ入力部２は、ＤＶＤプレーヤ等の再生装置から出力されるアナログオーディオ信号を入力する。アナログオーディオ入力部２には、複数のチャンネルのアナログオーディオ信号を入力するための入力端子を備える。デジタルオーディオ入力部３は、再生装置から出力されるデジタルオーディオデータを入力する。
【００１８】
ＩＥＥＥ１３９４Ｉ／Ｆ４は、ＩＥＥＥ１３９４規格に準拠したデジタルインターフェースであり、ＩＥＥＥ１３９４入力部５、ＲＡＭ６およびＰＬＬ回路７を備える。ＩＥＥＥ１３９４入力部５は、再生装置から出力されるＩＥＥＥ１３９４デジタルデータをＩＥＥＥ１３９４シリアルバスを介して入力し、入力したＩＥＥＥ１３９４デジタルデータをデジタルオーディオデータへ復調する。ＲＡＭ６は、制御部１５の制御によりＩＥＥＥ１３９４入力部５に入力されたＩＥＥＥデジタルデータを記憶する。ＲＡＭ６に記憶されたＩＥＥＥデジタルデータは、ＩＥＥＥ１３９４入力部５によりデジタルオーディオデータへ復調される。
【００１９】
ＩＥＥＥ１３９４入力部５により復調されたデジタルオーディオデータは、ＤＳＰ１０へ入力される。ＰＬＬ回路７は、ＶＣＯ回路を備え、制御部１５の制御によりこのＶＣＯ回路から発振されるクロックを用いて、ＩＥＥＥ１３９４入力部５に入力されたデジタルデータに同期したマスタークロックを生成する。ＰＬＬ回路７により生成されたマスタークロックは、ＩＥＥＥ１３９４入力部５において、入力されたＩＥＥＥ１３９４デジタルデータを復調するために用いられる。
【００２０】
ＡＤＣ８は、アナログオーディオ入力部２により入力されたアナログオーディオ信号をチャンネル毎にデジタルオーディオデータへ変換する。変換されたデジタルオーディオデータは、ＤＳＰ１０へ入力される。ＤＩＲ９は、デジタルオーディオ入力部３により入力されたデジタルオーディオデータを復調し、復調したデジタルオーディオデータをＤＳＰ１０へ入力する。
【００２１】
ＤＳＰ１０は、ＡＤＣ８、ＤＩＲ９またはＩＥＥＥ１３９４入力部５から入力されたデジタルオーディオデータに各種サラウンドフォーマットの信号処理等を施す。ＤＡＣ１１は、ＤＳＰ１０により信号処理が施されたデジタルオーディオデータをアナログオーディオ信号へ変換する。増幅部１２は、ＤＡＣ１１から入力されるアナログオーディオ信号を増幅する。増幅されたアナログオーディオ信号は、出力部１３にチャンネル毎に接続された図示しないスピーカから出力される。クロック生成部１４は、本実施例のデータ受信装置の動作を制御するマスタークロックを生成する。
【００２２】
制御部１５は、本実施例のデータ受信装置を統括的に制御する。制御部１５は、ＩＥＥＥ１３９４シリアルバスにより接続された再生装置とＩＥＥＥ１３９４Ｉ／Ｆ４を介してコマンドの送受信をする。本実施例のデータ受信装置において、再生装置とＩＥＥＥ１３９４インターフェースによる通信を開始するとき、制御部１５は、再生装置と同期をとるために、受信装置クロック制御モードで動作可能か否かを再生装置へ確認するコマンドを送信する。
【００２３】
再生装置から受信装置クロック制御モードでの動作を許可するコマンドを受信すると、制御部１５は、受信装置クロック制御モードで同期をとる制御をする。本実施例では、従来の技術と同様に、再生装置がＤＶＤ‐ＡＵＤＩＯやＣＤ‐ＤＡ等の記録媒体に記録されたオーディオデータを再生するとき、再生装置が受信装置クロック制御モードでの動作を許可する。
【００２４】
制御部１５は、受信装置クロック制御モードで動作する場合、クロック生成部１４により生成されたマスタークロックをＩＥＥＥ１３９４入力部５に入力する。ＩＥＥＥ１３９４入力部５は、クロック生成部１４から入力されたマスタークロックを用いて、入力されたＩＥＥＥ１３９４デジタルデータをデジタルオーディオデータへ復調する。
【００２５】
そして、制御部１５は、クロック生成部１４により生成されたマスタークロックと再生装置から送信されるデジタルデータとが同期しているか否かを検出し、当該マスタークロックとオーディオデータの同期のずれを補正するためのＦＡＳＴ（＋１％）、ＳＬＯＷ（−１％）、ＳＴＡＮＤＡＲＤ（０％）の各コマンドを生成し、ＩＥＥＥ１３９４Ｉ／Ｆ４を介して再生装置へＩＥＥＥ１３９４で定められたプロトコルに従って送信する。すなわち、制御部１５は、同期のずれが所定の周波数範囲内である場合、ＳＴＡＮＤＡＲＤのコマンドを生成し、再生装置が内蔵するクロック生成部により生成されたマスタークロック（以下、送信側クロックという）がクロック生成部１４により生成されたマスタークロック（以下、受信側クロックという）より所定の周波数低いことを検出した場合、ＦＡＳＴのコマンドを生成し、逆の場合、ＳＬＯＷのコマンドを生成して再生装置へ送出する。
【００２６】
再生装置は、ＦＡＳＴ、ＳＬＯＷ、ＳＴＡＮＤＡＲＤの各コマンドを受信すると、それぞれのコマンドに従って、生成する送信側クロックの周波数をコントロールする。すなわち、再生装置において、ＳＴＡＮＤＡＲＤのコマンドを受信した場合は、現在の送信側クロックの周波数を維持し、ＦＡＳＴのコマンドを受信した場合は、送信側クロックの周波数を１％高くし、ＳＬＯＷのコマンドを受信した場合は、送信側クロックの周波数を１％低くする。
【００２７】
一方、再生装置は、ＤＶＤ‐ＶＩＤＥＯ等の記録媒体に記録されたオーディオデータおよびビデオデータを再生するとき、受信装置クロック制御モードでの動作を不可とし、データ受信装置に受信装置クロック制御モード動作が不可のコマンドを送信する。制御部１５は、再生装置から受信装置クロック制御モードでの動作を不可とするコマンドを受信すると、クロック生成部１４に受信側クロックを生成させ、当該受信側クロックをＩＥＥＥ１３９４入力部５に入力させる制御をする。
【００２８】
そして、制御部１５は、ＩＥＥＥ１３９４入力部５に入力されるＩＥＥＥ１３９４デジタルデータをＲＡＭ６に記憶する制御をするとともに、ＲＡＭ６に記憶されたＩＥＥＥ１３９４デジタルデータを読出しデジタルオーディオデータへ復調する制御をする。ＩＥＥＥ１３９４入力部５は、受信側クロックを用いて、ＩＥＥＥデジタルデータの記憶、読出し動作および復調動作をする。
【００２９】
このとき、再生装置は、送信装置クロック制御モードに従い内蔵するクロック生成部により生成される送信側クロックを用いて、記録媒体に記録されたオーディオデータおよびビデオデータを再生する。そして、再生されたオーディオデータをＩＥＥＥ１３９４デジタルインターフェースからＩＥＥＥ１３９４デジタルデータとして出力する。また、再生されたビデオデータを再生装置と接続されたモニター等の表示装置へ出力する。
【００３０】
このように、再生装置において、送信装置クロック制御モードにより記録媒体に記録されたオーディオデータおよびビデオデータを再生する動作を行なうため、送信側クロックのビデオ用マスタークロックとオーディオ用マスタークロックが同期する。このため、表示装置から出力されるビデオデータの動画が一瞬停止する、または、１コマ分の画像を飛ばして再生する等の問題は発生しない。
【００３１】
従来技術では、受信装置クロック制御モードで再生装置と同期をとる動作をすることができない場合、ＰＬＬ回路を用いた送信装置クロック制御モードにより再生装置と同期をとる動作に切り換える。これに対して、本実施例のデータ受信装置では、再生装置と同期をとるための動作を行なわず、クロック生成部１４により生成される受信側クロックを用いて、再生装置から受信したＩＥＥＥ１３９４デジタルデータを復調する動作を行なう。このため、再生装置との同期をとることができなくなり、再生装置から受信したＩＥＥＥ１３９４デジタルデータを正しく復調することができないという問題が発生する可能性がある。
【００３２】
しかしながら、この問題を解決するために、本実施例のデータ受信装置は、再生装置から受信したＩＥＥＥデジタルデータをＲＡＭ６へいったん記憶し、ＲＡＭ６から復調に適した読出し速度でＩＥＥＥデジタルデータを読み出すことにより、発生したジッターを吸収する。したがって、本実施例のデータ受信装置は、クロック生成部１４により生成された受信側クロックを用いて、ＲＡＭ６から読み出したＩＥＥＥデジタルデータを正しく復調することができる。このため、本実施例のデータ受信装置は、再生装置がオーディオデータおよびビデオデータが記録された記録媒体を再生する場合でも、再生装置からＩＥＥＥ１３９４インターフェースを介して入力されたＩＥＥＥ１３９４デジタルデータを正しく復調することができ、出力するアナログオーディオ信号の音質の劣化を防ぐことができる。
【００３３】
ここで、本実施例のデータ受信装置は、再生装置から受信したＩＥＥＥデジタルデータがＲＡＭ６へいったん記憶されるため、スピーカから出力されるアナログオーディオ信号と、表示装置から出力される当該アナログオーディオ信号と同期したビデオ信号にずれが生じる。一般に、人間は、映像と音のずれが数十ミリ秒以上であるとき、映像と音のずれを認識することができる。このため、本実施例のデータ受信装置に備えるＲＡＭ６は、数十ミリ秒以下のアナログオーディオ信号に相当するＩＥＥＥデジタルデータが記憶できる記憶容量とする。
【００３４】
上述したように、本実施例のデータ受信装置において、再生装置から受信したＩＥＥＥデジタルデータをＲＡＭ６に記憶しているとき、クロック生成部１４により生成される受信側クロックと再生装置の送信側クロックの周波数が異なる。受信側クロックと送信側クロックの周波数が異なると、お互いのクロックの周波数の差によって、ＲＡＭ６にオーバーフローまたはアンダーフローが生じる可能性がある。
【００３５】
ＲＡＭ６にオーバーフローが生じるのは、受信側クロックの周波数が送信側クロックの周波数よりも低い場合、すなわち、ＲＡＭ６へのＩＥＥＥデジタルデータの書き込み速度が読み出し速度よりも高い場合である。一方、ＲＡＭ６にアンダーフローが生じるのは、受信側クロックの周波数が送信側クロックの周波数よりも高い場合、すなわち、ＲＡＭ６へのＩＥＥＥデジタルデータの書き込み速度が読み出し速度よりも低い場合である。
【００３６】
制御部１５は、ＲＡＭ６のオーバーフローおよびアンダーフローを防ぐために、ＲＡＭ６に上限のしきい値及び下限のしきい値を設定し、ＩＥＥＥデジタルデータの記憶容量を監視する。制御部１５は、ＲＡＭ６に記憶されたＩＥＥＥデジタルデータの記憶量が上限のしきい値より多くなると、または、ＲＡＭ６に記憶されたＩＥＥＥデジタルデータの記憶容量が下限のしきい値より少なくなると、送信装置クロック制御モードで再生装置と同期をとする動作に切り換える制御をする。
【００３７】
制御部１５は、クロック生成部１４からＩＥＥＥ１３９４入力部５への受信側クロックの入力を停止させ、ＩＥＥＥ１３９４入力部５から入力されたＩＥＥＥデジタルデータに同期したマスタークロックをＰＬＬ回路７に生成させる制御をする。ＩＥＥＥ１３９４入力部５は、ＰＬＬ回路７により生成されたマスタークロックを用いて、入力されたＩＥＥＥ１３９４デジタルデータを復調する。
【００３８】
このように、本実施例のデータ受信装置では、再生装置と非同期の状態から送信装置クロック制御モードにより再生装置と同期をとるようにすることにより、ＲＡＭ６のオーバーフローおよびアンダーフローを防ぐことができる。制御部１５は、オーバーフローまたはアンダーフローが生じない程度に、ＩＥＥＥデジタルデータがＲＡＭ６に記憶されると、送信装置クロック制御モードの動作に切り換える前の動作を行なうように制御する。
【００３９】
次に、本発明の第２の実施例であるデータ受信装置について説明する。
図２は、本発明の第２の実施例であるデータ受信装置の構成を示すブロック図である。図２において、図１に示す第１の実施例のデータ受信装置と同一の構成要素には同一の符号を付して説明を省略する。
【００４０】
図２に示す無音検出部１６は、制御部１５の制御によりＲＡＭ６に記憶されたＩＥＥＥデジタルデータのデジタルオーディオデータから無音を検出する。無音検出部１６は、無音を検出すると検出信号を制御部１５に出力する。図３は、ＲＡＭ６に記憶されたデジタルオーディオデータのサンプルデータを示す図である。図３には、ＤＶＤ−ＶＩＤＥＯから再生されたＬＰＣＭ（Ｌｉｎｅａｒ Pulse Code Modulation）方式の１６ｂｉｔのデジタルオーディオデータのサンプルデータを示す。
【００４１】
無音検出部１６は、ＲＡＭ６に記憶されたサンプルデータが００００ｈであるとき、無音のデジタルオーディオデータを検出し、制御部１５に検出信号を出力する。制御部１５は、無音検出部１６が所定の回数連続して無音を検出すると、ＲＡＭ６に記憶されているデジタルオーディオデータ（サンプルデータ）を消去する制御をする。
【００４２】
例えば、図３に示すように、００００ｈのサンプルデータが８サンプル連続している場合、無音検出部１６が８回連続して無音を検出するため、制御部１５は、ＲＡＭ６に記憶されているデジタルオーディオデータを消去する制御をする。制御部１５は、ＲＡＭ６に記憶されているデジタルオーディオデータを消去する制御をした後、ＩＥＥＥ１３９４入力部５からＲＡＭ６に入力されるＩＥＥＥデジタルデータのデジタルオーディオデータを記憶する制御をする。
【００４３】
本実施例では、無音検出部１６が００００ｈのサンプルデータを検出して無音と判別するが、００００ｈの他に０００２ｈや０００１ｈなどの微小レベルのサンプルデータが所定の数連続した場合に、制御部１５がＲＡＭ６に記憶されたデジタルオーディオデータを消去する制御をしてもよい。
【００４４】
このように、本実施例のデータ受信装置では、ＲＡＭ６に無音のデジタルオーディオデータが所定の数連続して記憶されると、ＲＡＭ６に記憶されたデジタルオーディオデータを消去する制御をする。したがって、本実施例のデータ受信装置は、受信側クロックと送信側クロックの周波数が異なることにより発生するＲＡＭ６のオーバーフローまたはアンダーフローを防ぐことができる。
【００４５】
上述したように本実施例では、デジタルインターフェースとしてＩＥＥＥ１３９４インターフェースを用いて説明をしたが、ＨＤＭＩ（High Definition Multimedia Interface）インターフェースを用いてもよい。
【図面の簡単な説明】
【００４６】
【図１】本発明の第１の実施例であるデータ受信装置の構成を示すブロック図。
【図２】本発明の第２の実施例であるデータ受信装置の構成を示すブロック図。
【図３】ＲＡＭ６に記憶されたデジタルオーディオデータのサンプルデータを示す図。
【符号の説明】
【００４７】
１…入力部、２…アナログオーディオ入力部、３…デジタルオーディオ入力部、４…ＩＥＥＥ１３９４インターフェース、５…ＩＥＥＥ１３９４入力部、６…ＲＡＭ、７…ＰＬＬ回路、８…ＡＤＣ、９…ＤＩＲ、１０…ＤＳＰ、１１…ＤＡＣ、１２…増幅部、１３…出力部、１４…クロック生成部、１５…制御部、１６…無音検出部
【図１】
2007280584.tif 000003
【図２】
2007280584.tif 000004
【図３】
2007280584.tif 000005